(57)【要約】【課題】送信情報を画像データと一緒に送信するファクシミリ装置及び当該ファクシミリ装置に対応したファクシミリ中継装置を提供する。【解決手段】原稿画像データの送信先情報を記憶する送信先情報記憶手段と、送信先情報を所定の汎用画像コードに対応した画像コードデータに変換すると共に当該画像コードデータの先端に汎用画像コードであることを示す識別符号を付加した識別符号付画像コードデータを生成する画像コード生成手段と、原稿画像データの送信指示を受け付ける受付手段と、該受付手段が異なる通信方式に対応するファクシミリ装置を送信先として指示した場合に、当該送信先に該当する識別符号付画像コードデータを前記画像コード生成手段に生成させ、当該識別符号付画像コードデータを原稿画像データの先端に付加して前記通信手段に送信させる制御部と、を具備する。【選択図】図１
2007266843.tif 000002
【特許請求の範囲】
【請求項１】
異なる複数の通信方式の一部に対応する通信手段を備え、当該通信手段を用いて前記複数の通信方式の全てに対応するファクシミリ中継装置に原稿画像データを送信するファクシミリ装置であって、
原稿画像データの送信先情報を記憶する送信先情報記憶手段と、
送信先情報を所定の汎用画像コードに対応した画像コードデータに変換すると共に当該画像コードデータの先端に汎用画像コードであることを示す識別符号を付加した識別符号付画像コードデータを生成する画像コード生成手段と、
原稿画像データの送信指示を受け付ける受付手段と、
該受付手段が異なる通信方式に対応するファクシミリ装置を送信先として指示した場合に、当該送信先に該当する識別符号付画像コードデータを前記画像コード生成手段に生成させ、当該識別符号付画像コードデータを原稿画像データの先端に付加して前記通信手段に送信させる制御部と
を具備することを特徴とするファクシミリ装置。
【請求項２】
異なる複数の通信方式は、電話回線を用いるＧ３通信プロトコルとインターネットを用いる電子メールプロトコルであることを特徴とする請求項１記載のファクシミリ装置。
【請求項３】
汎用画像コードはＱＲコードであることを特徴とする請求項１または２記載のファクシミリ装置。
【請求項４】
異なる複数の通信方式の全てに対応して原稿画像データを送受信する通信手段を備え、送信元から受信した送信先情報に基づいて原稿画像データを転送するファクシミリ中継装置であって、
通信手段が受信した原稿画像データの先端に特定の識別符号が付加されていることを検出すると、当該原稿画像データが所定の汎用画像コードに対応した送信先情報の画像コードデータが含まれていると判定し、当該画像コードデータが示す送信先の通信方式に対応する通信方式を選択して原稿画像データを転送する制御部を備えることを特徴とするファクシミリ中継装置。
【請求項５】
異なる複数の通信方式は、電話回線を用いるＧ３通信プロトコルとインターネットを用いる電子メールプロトコルであることを特徴とする請求項４記載のファクシミリ中継装置。
【請求項６】
汎用画像コードはＱＲコードであることを特徴とする請求項４または５記載のファクシミリ中継装置。
【発明の詳細な説明】
【技術分野】
【０００１】
本発明は、画像を伝送するファクシミリ装置及びファクシミリ装置間の画像伝送を中継するファクシミリ中継装置に関する。
【背景技術】
【０００２】
近年、Ｇ３ファクシミリ規格に準拠した電話回線を用いるＧ３ファクシミリ装置に加え、インターネットを介して原稿画像データを伝送するインターネットファクシミリ装置が実用化されている。このようなインターネットファクシミリ装置は、電子メールの添付ファイルとして原稿画像データを伝送するものであり、よって電子メールを送受信する通信機能を備えている。
【０００３】
例えば下記特許文献１には、電話回線１２を用いたＧ３ファクシミリ通信機能をも備えたインターネットファクシミリ装置１３，１５を中継機（ファクシミリ中継装置）としてＧ３ファクシミリ装置１３からＧ３ファクシミリ装置１７に原稿画像データを伝送するに際し、中継装置となるインターネットファクシミリ装置１３に対して、Ｇ３通信プロトコルのフェーズＢにおいて受信先や中継経路等を示すコードデータ（送信先情報）の送信条件を設定し、上記コードデータをＧ３通信プロトコルのフェーズＣ（原稿画像データの伝送フェーズ）においてインターネットファクシミリ装置１３に送信するファクシミリ装置１１が開示されている。
【特許文献１】特開２００２−２９０６５６号公報
【発明の開示】
【発明が解決しようとする課題】
【０００４】
ところで、上記従来技術は、Ｇ３通信プロトコルのフェーズＢに規定された非標準信号を用いてコードデータを送信することにより送信条件を設定するものであり、よってこの非標準信号の仕様を予め決定し、送信側ファクシミリ装置と受信側ファクシミリ装置との双方が上記仕様に準拠している必要がある。したがって、上記従来技術は、この仕様に準拠したファクシミリ装置間でのみコードデータの送信が可能であり、汎用性に欠けると共に上記仕様に基づいてファクシミリ装置を開発しなければいけないためにファクシミリ装置の開発コスト及び時間が掛かる、という問題点がある。
【０００５】
本発明は、上述した事情に鑑みたものであり、送信先情報を原稿画像データと一緒に送信画像データとして送信すると共に当該送信画像データのみによって送信先情報の送信をファクシミリ中継装置に認識させ得るファクシミリ装置及び当該ファクシミリ装置に対応したファクシミリ中継装置の提供を目的とするものである。
【課題を解決するための手段】
【０００６】
上記目的を達成するために、本発明は、ファクシミリ装置に係る第１の解決手段として、異なる複数の通信方式の一部に対応する通信手段を備え、当該通信手段を用いて前記複数の通信方式の全てに対応するファクシミリ中継装置に原稿画像データを送信するファクシミリ装置において、原稿画像データの送信先情報を記憶する送信先情報記憶手段と、送信先情報を所定の汎用画像コードに対応した画像コードデータに変換すると共に当該画像コードデータの先端に汎用画像コードであることを示す識別符号を付加した識別符号付画像コードデータを生成する画像コード生成手段と、原稿画像データの送信指示を受け付ける受付手段と、該受付手段が異なる通信方式に対応するファクシミリ装置を送信先として指示した場合に、当該送信先に該当する識別符号付画像コードデータを前記画像コード生成手段に生成させ、当該識別符号付画像コードデータを原稿画像データの先端に付加して前記通信手段に送信させる制御部とを具備する、という手段を採用する。
【０００７】
また、ファクシミリ装置に係る第２の解決手段として、上記第１の解決手段において、異なる複数の通信方式は、電話回線を用いるＧ３通信プロトコルとインターネットを用いる電子メールプロトコルである、という手段を採用する。
【０００８】
ファクシミリ装置に係る第３の解決手段として、上記第１または第２の解決手段において、汎用画像コードはＱＲコードである、という手段を採用する。
【０００９】
一方、本発明では、ファクシミリ中継装置に係る第１の解決手段として、異なる複数の通信方式の全てに対応して原稿画像データを送受信する通信手段を備え、送信元から受信した送信先情報に基づいて原稿画像データを転送するファクシミリ中継装置において、通信手段が受信した原稿画像データの先端に特定の識別符号が付加されていることを検出すると、当該原稿画像データが所定の汎用画像コードに対応した送信先情報の画像コードデータが含まれていると判定し、当該画像コードデータが示す送信先の通信方式に対応する通信方式を選択して原稿画像データを転送する制御部を備える、という手段を採用する。
【００１０】
ファクシミリ中継装置に係る第２の解決手段として、上記第１の解決手段において、異なる複数の通信方式は、電話回線を用いるＧ３通信プロトコルとインターネットを用いる電子メールプロトコルである、という手段を採用する。
【００１１】
ファクシミリ中継装置に係る第３の解決手段として、上記第１または第２の解決手段において、汎用画像コードはＱＲコードである、という手段を採用する。
【発明の効果】
【００１２】
本発明に係るファクシミリ装置によれば、原稿画像データの先端に識別符号付画像コードデータを付加し送信画像データとしてファクシミリ中継装置に送信するので、ファクシミリ中継装置は、送信画像データにもによって送信先情報及び当該送信先情報の受信を認識することができる。すなわち、本発明によれば、ファクシミリ中継装置との事前の通信によって画像コードデータの送信をファクシミリ中継装置に通知する必要がない。したがって、汎用性のある原稿画像データの転送を実現することが可能であると共にファクシミリ装置の開発コスト及び時間を低減することができる。
【００１３】
一方、本発明に係るファクシミリ中継装置によれば、原稿画像データと一緒に受信した識別符号付画像コードデータに基づいて受信画像データに画像コードデータが含まれていることを識別するので、送信元との事前の通信によって画像コードデータの送信を送信元から通知を受ける必要がない。したがって、汎用性のある原稿画像データの転送を実現することが可能であると共にファクシミリ中継装置の開発コスト及び時間を低減することができる。
【発明を実施するための最良の形態】
【００１４】
以下、図面を参照して、本発明の一実施形態について説明する。
図１は、本実施形態に係るファクシミリ中継装置の機能構成を示すブロック図であり、また図２は、本実施形態に係るＧ３ファクシミリ装置の機能構成を示すブロック図である。
【００１５】
Ｇ３ファクシミリ装置Ａは、ファクシミリに関する国際規格であるＧ３規格に準拠した通信プロトコル（Ｇ３通信プロトコル）に基づいて、つまり一般の電話回線を介して送信画像データをファクシミリ中継装置Ｂに送信するものである。ファクシミリ中継装置Ｂは、Ｇ３ファクシミリ装置Ａから受信した受信画像データ（つまり送信画像データ）をインターネットファクシミリ装置Ｃに転送するものである。インターネットファクシミリ装置Ｃは、インターネット上を伝送される電子メールの添付ファイルとして、つまりインターネットの電子メールプロトコルに基づいて送信画像データをファクシミリ中継装置Ｂから受信するものである。なお、上記Ｇ３通信プロトコルや電子メールプロトコルは、本発明の通信方式に相当する。
【００１６】
説明の便宜上、図２に示すＧ３ファクシミリ装置Ａの詳細構成について先に説明する。本Ｇ３ファクシミリ装置Ａは、図２に示すように、Ｇ３通信部１、画像読取部２、画像記憶部３、印刷部４、操作部５、ＱＲコード生成部６（画像コード生成手段）及び制御部７を備える。
【００１７】
Ｇ３通信部１は、制御部７による制御の下に、ファクシミリに関する国際規格であるＧ３規格に準拠した通信プロトコル（Ｇ３通信プロトコル）に基づく各種信号をファクシミリ中継装置Ｂとの間で送受信するものである。このＧ３通信部１は、ファクシミリ中継装置Ｂから受信した画像データ（受信画像データ）を画像記憶部３に出力する一方、画像記憶部３から入力された画像データ（送信画像データ）を画像送信信号としてファクシミリ中継装置Ｂに送信する。
【００１８】
画像読取部２は、外部に送信するために原稿台上に載置された原稿の表面に印刷された画像を光学ラインセンサで読み取って送信用画像データに変換するものであり、当該送信用画像データを画像記憶部３に出力する。なお、以下の説明では、画像読取部２が原稿読み取ることによって画像記憶部３に記憶された画像データを原稿画像データという。
【００１９】
画像記憶部３は、ハードディスク等の外部記憶装置あるいは／及び半導体メモリから構成されており、制御部７による制御の下に上記受信画像データ及び送信画像データを記憶するものである。この画像記憶部３は、制御部７による制御の下に、受信画像データを印刷部４に出力する一方、送信画像データをＧ３通信部１に出力する。印刷部４は、制御部７による制御の下に、上記受信画像データを印刷用画像データに変換して紙等の印刷媒体に印刷をするものである。
【００２０】
操作部５は、操作者が操作するテンキーやファンクションキーからなり、操作者から送信先情報及び送信指示を受け付け、これら送信先情報及び送信指示を制御部７に出力するものである。送信先情報は、送信先を特定するための情報であり、例えば送信先のファクシミリ番号や電子メールアドレスである。一方、送信指示は、原稿画像データの送信開始を指示するものである。
【００２１】
ＱＲコード生成部６は、制御部７による制御の下に、上記送信先情報をＱＲコードに変換すると共に当該ＱＲコードの先端にＱＲコードであることを示す識別符号を付加する画像コード生成手段である。ＱＲコードは、一次元コードとして広く実用化されているバーコードと同様に周知の汎用画像コードの一種であり、各種情報を二次元画像として表現するものであり、上記送信先情報をファクシミリ中継装置Ｂに送信する場合に生成される。
以下の説明では、先端に識別符号が付加された送信先情報のＱＲコードを識別符号付ＱＲコードという。
【００２２】
制御部７は、上記送信先情報、上記指示情報及び内部メモリに記憶された制御プログラムに基づいて本Ｇ３ファクシミリ装置Ａの全体動作を制御するものであり、制御演算を行うＣＰＵ（Central Processing Unit）及び他の各部（つまりＧ３通信部１、画像読取部２、画像記憶部３、印刷部４、操作部５及びＱＲコード生成部６）とのデータ授受を行う各種入出力インターフェース回路等から構成されている。
【００２３】
また、この制御部７は、上記送信先情報をファクシミリ中継装置Ｂに送信する場合には、ＱＲコード生成部６に上記識別符号付ＱＲコードを生成させ、この識別符号付ＱＲコードを原稿画像データの先端に付加し画像送信信号としてＧ３通信部１に送信させる。
【００２４】
一方、ファクシミリ中継装置Ｂは、図１に示すように、Ｇ３通信部１０、電子メール通信部１１、画像記憶部１２及び制御部１３を備える。
Ｇ３通信部１０は、制御部１３による制御の下に、Ｇ３通信プロトコルに基づく各種信号をファクシミリ装置Ａとの間で送受信するものである。このＧ３通信部１０は、ファクシミリ装置Ａから受信した画像データ（受信画像データ）を画像記憶部１２に出力する一方、画像記憶部１２から入力された画像データ（送信画像データ）を画像送信信号としてファクシミリ装置Ａに送信する。
【００２５】
電子メール通信部１１は、制御部１３による制御の下に、インターネットの電子メールプロトコルに基づいてインターネットファクシミリ装置Ｃと画像データの送受信を行うものである。この電子メール通信部１１は、インターネットファクシミリ装置Ｃから受信した画像データ（受信画像データ）を画像記憶部１２に出力する一方、画像記憶部１２から入力された画像データ（送信画像データ）を電子メールとしてインターネットファクシミリ装置Ｃに送信する。
【００２６】
画像記憶部１２、ハードディスク等の外部記憶装置あるいは／及び半導体メモリから構成されており、制御部１３による制御の下に上記受信画像データ及び送信画像データ並びに識別符号付ＱＲコードを記憶するものである。この画像記憶部１２は、制御部１４による制御の下に、送信画像データをＧ３通信部１や電子メール通信部１１に出力する。
【００２７】
制御部１３は、上記識別符号付ＱＲコード及び内部メモリに記憶された制御プログラムに基づいてファクシミリ中継装置Ｂの全体動作を制御するものであり、制御演算を行うＣＰＵ（Central Processing Unit）及び他の各部（つまりＧ３通信部１０、電子メール通信部１１及び画像記憶部１２）とのデータ授受を行う各種入出力インターフェース回路等から構成されている。
【００２８】
また、制御部１３は、Ｇ３通信部１０あるいは電子メール通信部１１が受信した受信画像データの先端に識別符号付が付加されているか否かを検出し、この識別符号付を検出すると、当該識別符号に続く画像データがＱＲコードであると判定し、このＱＲコードが示す送信先の通信方式に対応する通信手段、つまりＧ３通信部１０あるいは電子メール通信部１１を選択して受信画像データを送信画像データとして転送する。
【００２９】
例えば、Ｇ３通信部１０がＧ３ファクシミリ装置Ａから受信した受信画像データの先端にインターネットファクシミリ装置Ｃを送付先とする識別符号付ＱＲコードが付加されている場合は、当該識別符号付ＱＲコードが示す送信先（つまり電子メールアドレス）を電子メール通信部１１に出力すると共に、原稿画像データを画像記憶部１２から電子メール通信部１１に出力させることにより上記原稿画像データをインターネットファクシミリ装置Ｃに転送させる。
【００３０】
一方、電子メール通信部１１がインターネットファクシミリ装置Ｃから受信した受信画像データ（電子メールの添付ファイルに格納されたもの）の先端にＧ３ファクシミリ装置Ａを送付先とする識別符号付ＱＲコードが付加されている場合は、当該識別符号付ＱＲコードが示す送信先（つまりファクシミリ番号）をＧ３通信部１０に出力すると共に、原稿画像データを画像記憶部１２からＧ３通信部１０に出力させることにより上記原稿画像データをＧ３ファクシミリ装置Ａに転送させる。
【００３１】
次に、このように構成されたＧ３ファクシミリ装置Ａ及びファクシミリ中継装置Ｂの要部動作について図３及び図４に示すフローチャートに沿って詳しく説明する。
【００３２】
先にＧ３ファクシミリ装置Ａについて説明すると、制御部７は、作業者が操作部５を操作することによって送信先情報及び送信指示が操作部５から入力されると（ステップＳ1）、画像読取部２に原稿台上の原稿を自動送りして読み込ませ（ステップＳ2）、当該原稿の画像データ（原稿画像データ）を画像記憶部３に記憶させる。そして、制御部７は、操作部５から入力された送信先情報がインターネットファクシミリ装置Ｃを送信先として指定しているか否かを判断し（ステップＳ3）、この判断が「Ｙｅｓ」の場合は、送信先情報をＱＲコード生成部６に出力してＱＲコード化させる（ステップＳ4）。
【００３３】
ここで、送信先がインターネットファクシミリ装置Ｃの場合、送信先は電子メールアドレスとなり、一方、送信先が他のＧ３ファクシミリ装置の場合には、送信先はファクシミリ番号となる。制御部７は、操作部５から入力された送信先が電子メールアドレスか、あるいはファクシミリ番号かを検出することにより、インターネットファクシミリ装置Ｃが送信先として指定されたか否かを判断する。
【００３４】
ＱＲコード生成部６は、制御部７から送信先情報が入力されると、送信先情報をＱＲコードに変換すると共に、当該ＱＲコードの先端にＱＲコードであることを示す識別符号を付加して識別符号付ＱＲコードを生成する。そして、ＱＲコード生成部６は、制御部７の制御によって識別符号付ＱＲコードを画像記憶部３に出力して記憶させる。なお、上記ステップＳ3の判断が「Ｎｏ」の場合には、このようなステップＳ4の処理は省略される。
【００３５】
このようにして識別符号付ＱＲコードが画像記憶部３に記憶されると、制御部８は、Ｇ３通信プロトコルのフェーズＢの通信によってファクシミリ中継装置Ｂとの通信条件を通信部１に設定させ（ステップＳ5）、さらに上記原稿画像データと識別符号付ＱＲコードとを画像記憶部３から読み出して送信用画像データとして通信部１に供給し、当該送信用画像データをＧ３通信プロトコルのフェーズＣの通信における画像送信信号としてファクシミリ中継装置Ｂに送信させる（ステップＳ6）。
【００３６】
制御部８は、画像記憶部３から識別符号付ＱＲコードを原稿画像データよりも先に読み出すことにより、原稿画像データの先端に識別符号付ＱＲコードが付加された送信用画像データを生成する。したがって、送信用画像データは、図５に示すように、先端から「識別符号」→「送信先情報のＱＲコード」→「原稿画像データ」の順番で並ぶデータ群となる。
【００３７】
制御部８は、このような送信用画像データのファクシミリ中継装置Ｂへの送信が完了すると、Ｇ３通信プロトコルのフェーズＤ，Ｅの通信によってファクシミリ中継装置Ｂとの通信終了処理を通信部１に行わせる（ステップＳ7）。
【００３８】
このように、Ｇ３ファクシミリ装置Ａは、Ｇ３通信プロトコルを用いて直接通信することができないインターネットファクシミリ装置Ｃに対して原稿画像データを送信する場合、Ｇ３通信プロトコルによる通信が可能なファクシミリ中継装置Ｂに識別符号付ＱＲコードが付加された原稿画像データをＧ３通信プロトコルのフェーズＣにおける画像送信信号として送信する。
【００３９】
このようなＧ３ファクシミリ装置Ａに対して、ファクシミリ中継装置Ｂは、図４に示すように動作する。
すなわち、制御部１３は、Ｇ３ファクシミリ装置Ａからの着信を検出すると（ステップＳ10）、Ｇ３通信プロトコルのフェーズＢの通信によってＧ３ファクシミリ装置Ａとの通信条件をＧ３通信部１０に設定させる（ステップＳ11）。そして、この通信条件が設定されると、制御部１３は、フェーズＣの通信によってＧ３ファクシミリ装置Ａの画像送信信号をＧ３通信部１０に受信させ（ステップＳ12）、さらにフェーズＤ，Ｅの通信によってＧ３ファクシミリ装置Ａとの通信終了処理をＧ３通信部１０に行わせる（ステップＳ13）。なお、制御部１３は、Ｇ３通信部１０が画像送信信号を受信すると、当該画像送信信号に含まれる画像データを受信画像データとして画像記憶部１２に記憶させる。
【００４０】
そして、制御部１３は、画像記憶部１２に記憶させた受信画像データの先端に特定の識別符号が付加されているか否かを検出し（ステップＳ14）、識別符号が付加されている場合はＱＲコードを解読する（ステップＳ15）。そして、制御部１３は、この解読によって得られた送信先情報に基づいて電子メール通信部１１にＧ３ファクシミリ装置Ａから受信した原稿画像データをインターネットファクシミリ装置Ｃに向けて送信させる（ステップＳ16）。
【００４１】
すなわち、制御部１３は、受信画像データの先端に識別符号を検出すると、受信画像データの先端にＱＲコードが付加されていると判断し、受信画像データからＱＲコードのみを取り出して解析する。そして、制御部１３は、この析結果として送信先情報を取得し、当該送信先情報が示す送信先（つまり電子メールアドレス）に従って原稿画像データをインターネットファクシミリ装置Ｃに向けて送信させる。
【００４２】
なお、受信画像データの先端に識別符号が付加されていない場合には、ステップＳ14の判断は「Ｎｏ」となる。この場合、受信画像データは原稿画像データのみからなるもの、つまり他のＧ３ファクシミリ装置を送信先とするので、制御部１３は、Ｇ３通信部１０に原稿画像データを供給して他のＧ３ファクシミリ装置に向けて送信させる（ステップＳ17）。
【００４３】
ところで、インターネットファクシミリ装置Ｃが直接通信をすることができないＧ３ファクシミリ装置Ａに原稿画像データを送信する場合には、インターネットファクシミリ装置Ｃは、上述したＧ３ファクシミリ装置Ａと同様に、識別符号付ＱＲコードを生成して原稿画像データの先端に付加することにより送信画像データを生成する。この識別符号付ＱＲコードはＧ３ファクシミリ装置Ａを送信先（つまりファクシミリ番号）とする送信先情報をＱＲコード化したものである。そして、インターネットファクシミリ装置Ｃは、この送信画像データを電子メールの添付ファイルに格納してファクシミリ中継装置Ｂに送信する。
【００４４】
ファクシミリ中継装置Ｂの制御部１３は、このような電子メールを電子メール通信部１１が受信すると、電子メールから送信画像データを取り出して受信画像データとして画像記憶部１２に記憶させ、これ以降、上述したＧ３ファクシミリ装置Ａからの受信画像データと同様にして送信先がＧ３ファクシミリ装置Ａであることを把握して原稿画像データを転送する。
【００４５】
図６は、上記送信先情報のＱＲコードの一例を示す模式図である。ＱＲコードは、近年広く普及している汎用の二次元画像コードであり、一次元画像コードであるバーコードに比較して大きな情報量を有しているので、操作部５から入力された送信先情報を十分に含むことができる。
【００４６】
このような本実施形態によれば、フェーズＣの送信画像信号として受信した識別符号付ＱＲコードに基づいて送信先と当該送信先の通知をファクシミリ中継装置Ｂに認識させることができるので、ファクシミリ装置Ａとファクシミリ中継装置Ｂとの間におけるフェーズＢの通信で送信先及び当該送信先の通知に関する特別な通信を行う必要がない。したがって、汎用性のある原稿画像データの転送を実現することが可能であると共に開発コスト及び時間を低減することができる。
【００４７】
なお、本発明は上記実施形態に限定されるものではなく、例えば以下のような変形例が考えられる。
（１）上記実施形態ではＧ３通信プロトコルのフェーズＣにおける送信画像信号によって識別符号付ＱＲコードと原稿画像データと送信画像データとして送信するようにしたが、本発明は、ファクシミリ装置間で送受信される各種信号のうち、画像送信に係る信号で設定情報を示す汎用画像コードと画像送信が汎用画像コードであることを示す識別符号とを一緒に送信するすることにより送信先情報のＱＲコードが送信画像データに含まれていることを検出するものなので、ファクシミリ装置間の通信プロトコルはＧ３通信プロトコルに限定されるものではない。
【００４８】
（２）上記実施形態では、原稿画像データの送信元をＧ３ファクシミリ装置Ａとしたが、送信元はファクシミリ装置に限定されない。送信元は、例えばファクシミリ通信機能を有したコンピュータであっても良い。
【００４９】
（３）上記実施形態では、汎用画像コードとしてＱＲコードを用いたが、本発明における汎用画像コードはＱＲコードに限定されない。例えば設定情報の情報量が少ない場合には、汎用画像コードとしてバーコードを用いても良い。
【図面の簡単な説明】
【００５０】
【図１】本発明の一実施形態に係わるファクシミリ中継装置Ｂの機能構成を示すブロック図である。
【図２】本発明の一実施形態に係わるファクシミリ装置Ａの機能構成を示すブロック図である。
【図３】本発明の一実施形態に係わるファクシミリ装置Ａの特徴的動作を示すフローチャートである。
【図４】本発明の一実施形態に係わるファクシミリ中継装置Ｂの特徴的動作を示すフローチャートである。
【図５】本発明の一実施形態における送信画像データのデータ構成を示す模式図である。
【図６】本発明の一実施形態におけるＱＲコードの一例を示す模式図である。
【符号の説明】
【００５１】
Ａ…Ｇ３ファクシミリ装置、Ｂ…ファクシミリ中継装置、Ｃ…インターネットファクシミリ装置、１…Ｇ３通信部、２…画像読取部、３…画像記憶部、４…印刷部、５…操作部、６…ＱＲコード生成部、７…制御部、１０…Ｇ３通信部、１１…電子メール通信部、１２…画像記憶部、１３…制御部
【図１】
2007266843.tif 000003
【図２】
2007266843.tif 000004
【図３】
2007266843.tif 000005
【図４】
2007266843.tif 000006
【図５】
2007266843.tif 000007
【図６】
2007266843.tif 000008